(57)【要約】【課題】隆起を有し、且つ、転写層が転写された造形物を少ない工程で製造することが可能な造形物の製造方法、転写装置及び造形システムを提供する。【解決手段】造形物の製造方法において、第１ステップでは、加熱により膨張する熱膨張層１２を有した熱膨張性シート１０と、転写層２２を有した転写フィルム２０とを、転写層２２が熱膨張性シート１０に対向するように配置する。第２ステップでは、熱膨張層１２が膨張可能な温度の熱を熱膨張性シート１０に部分的に加えることにより、当該熱膨張性シート１０における熱が加えられた部分に対応する表面を熱膨張層１２の膨張により隆起させて当該熱膨張性シート１０の表面に凹凸を形成するとともに、隆起した部分の表面に当該表面の隆起に伴って発生する転写層２２への押圧力により転写層２２を選択的に転写させる。【選択図】図１２
2020151973.tif 000002
【特許請求の範囲】
【請求項１】
加熱により膨張する熱膨張層を有した第１媒体と、転写層を有した第２媒体とを、前記転写層が前記第１媒体に対向するように配置する第１ステップと、
前記熱膨張層が膨張可能な温度の熱を前記第１媒体に部分的に加えることにより、当該第１媒体における前記熱が加えられた部分に対応する表面を前記熱膨張層の膨張により隆起させて当該第１媒体の表面に凹凸を形成するとともに、前記隆起した部分の表面に当該表面の隆起に伴って発生する前記転写層への押圧力により前記転写層を選択的に転写させる第２ステップと、
を有することを特徴とする造形物の製造方法。
【請求項２】
前記第１ステップで配置された前記第１媒体と前記第２媒体とを重ねた状態で押圧する押圧ステップ、を更に有し、
前記第２ステップでは、前記押圧ステップで押圧された前記第１媒体に前記熱を加える、
ことを特徴とする請求項１に記載の造形物の製造方法。
【請求項３】
前記第１媒体と前記第２媒体とのうちの少なくとも一方の表面の一部に、電磁波を熱に変換する変換層を形成する形成ステップ、を更に有し、
前記第２ステップでは、前記形成ステップで形成された前記変換層に前記電磁波を照射して前記変換層を発熱させることにより、前記第１媒体に前記熱を部分的に加える、
ことを特徴とする請求項２に記載の造形物の製造方法。
【請求項４】
前記形成ステップでは、前記変換層を、前記第２媒体の表側の面の一部に形成し、
前記第１ステップでは、前記第１媒体と、前記形成ステップで前記変換層が形成された前記第２媒体とを、前記第２媒体の裏側の面が前記第１媒体に対向するように配置し、
前記押圧ステップでは、前記第１ステップで配置された前記第１媒体と前記第２媒体とを、前記第２媒体の表側から押圧し、
前記第２ステップでは、前記第２媒体の表側の面に前記電磁波を照射して前記変換層を発熱させることにより、前記押圧ステップで押圧された前記第１媒体に前記熱を部分的に加える、
ことを特徴とする請求項３に記載の造形物の製造方法。
【請求項５】
前記形成ステップでは、前記変換層を、前記第１媒体の裏側の面の一部に形成し、
前記第１ステップでは、前記形成ステップで前記変換層が形成された前記第１媒体と、前記第２媒体とを、前記第１媒体の表側の面が前記第２媒体に対向するように配置し、
前記押圧ステップでは、前記第１ステップで配置された前記第１媒体と前記第２媒体とを、前記第１媒体の裏側から押圧し、
前記第２ステップでは、前記第１媒体の裏側の面に前記電磁波を照射して前記変換層を発熱させることにより、前記押圧ステップで押圧された前記第１媒体に前記熱を部分的に加える、
ことを特徴とする請求項３に記載の造形物の製造方法。
【請求項６】
前記押圧ステップでは、前記電磁波に対する透過性を有する押圧部材により、前記第１ステップで配置された前記第１媒体と前記第２媒体とを押圧し、
前記第２ステップでは、前記押圧部材越しに、前記形成ステップで形成された前記変換層に電磁波を照射する、
ことを特徴とする請求項３から５のいずれか１項に記載の造形物の製造方法。
【請求項７】
前記第２ステップでは、ヒータにより、前記押圧ステップで押圧された前記第１媒体を、前記電磁波が照射される側とは反対側から更に加熱する、
ことを特徴とする請求項３から６のいずれか１項に記載の造形物の製造方法。
【請求項８】
前記押圧ステップでは、断熱性を有する押圧部材により、前記第１ステップで配置された前記第１媒体と前記第２媒体とを押圧する、
ことを特徴とする請求項２から７のいずれか１項に記載の造形物の製造方法。
【請求項９】
前記第２ステップでは、前記押圧ステップで押圧された前記第１媒体と前記第２媒体とのうちの一方に当接するサーマルヘッドにより、前記第１媒体に前記熱を部分的に加える、
ことを特徴とする請求項２に記載の造形物の製造方法。
【請求項１０】
前記押圧ステップでは、前記第１ステップで配置された前記第１媒体と前記第２媒体とを、前記第１媒体の、前記第２媒体に対向する面とは反対側から押圧し、
前記第２ステップでは、前記第２媒体の、前記第１媒体に対向する面とは反対側の面に当接する前記サーマルヘッドにより、前記押圧ステップで押圧された前記第１媒体に前記熱を部分的に加える、
ことを特徴とする請求項９に記載の造形物の製造方法。
【請求項１１】
前記押圧ステップでは、前記第１ステップで配置された前記第１媒体と前記第２媒体とを、前記第２媒体の、前記第１媒体に対向する面とは反対側から押圧し、
前記第２ステップでは、前記第１媒体の、前記第２媒体に対向する面とは反対側の面に当接する前記サーマルヘッドにより、前記押圧ステップで押圧された前記第１媒体に前記熱を部分的に加える、
ことを特徴とする請求項９に記載の造形物の製造方法。
【請求項１２】
前記押圧ステップでは、前記サーマルヘッドとの間で前記第１媒体と前記第２媒体とを挟んで搬送するプラテンローラにより、前記第１媒体と前記第２媒体とを押圧する、
ことを特徴とする請求項９から１１のいずれか１項に記載の造形物の製造方法。
【請求項１３】
加熱により膨張する熱膨張層を有した第１媒体と、転写層を有した第２媒体とが、前記転写層が前記第１媒体に対向するように配置される配置部と、
前記熱膨張層が膨張可能な温度の熱を前記第１媒体に部分的に加えることにより、当該第１媒体における前記熱が加えられた部分に対応する表面を前記熱膨張層の膨張により隆起させて当該第１媒体の表面に凹凸を形成するとともに、前記隆起した部分の表面に当該表面の隆起に伴って発生する前記転写層への押圧力により前記転写層を選択的に転写させる転写部と、
を備えることを特徴とする転写装置。
【請求項１４】
請求項１３に記載の転写装置と、
前記第１媒体と前記第２媒体とのうちの少なくとも一方の表面の一部に、電磁波を熱に変換する変換層を形成する印刷装置と、
を備え、
前記転写部は、前記印刷装置により形成された前記変換層に前記電磁波を照射して前記変換層を発熱させることにより、前記第１媒体に前記熱を部分的に加える、
ことを特徴とする造形システム。
【発明の詳細な説明】
【技術分野】
【０００１】
本発明は、造形物の製造方法、転写装置及び造形システムに関する。
【背景技術】
【０００２】
加熱により膨張する媒体を膨張させることにより、隆起を有する造形物を製造する技術が知られている。例えば、特許文献１，２は、造形物として、３次元状の広がりを有する画像である立体画像の形成方法を開示している。具体的に説明すると、特許文献１，２に開示された方法では、加熱により膨張する媒体である熱膨張性シートの裏面に光吸収特性に優れた材料でパターンを形成し、形成されたパターンに照射手段によって光（電磁波）を照射することで加熱する。これにより、熱膨張性シートにおけるパターンが形成された部分が膨張して盛り上がり、立体画像が形成される。
【先行技術文献】
【特許文献】
【０００３】
【特許文献１】特開昭６４−２８６６０号公報
【特許文献２】特開２００１−１５０８１２号公報
【発明の概要】
【発明が解決しようとする課題】
【０００４】
上記のような隆起を有する造形物を製造する技術において、造形物に装飾性や機能性等を持たせるために、造形物に転写層を転写させることがある。このような隆起を有し、且つ、転写層が転写された造形物を、少ない工程で製造したい、との要望がある。
【０００５】
本発明は、以上のような課題を解決するためのものであり、隆起を有し、且つ、転写層が転写された造形物を少ない工程で製造することが可能な造形物の製造方法、転写装置及び造形システムを提供することを目的とする。
【課題を解決するための手段】
【０００６】
上記目的を達成するため、本発明に係る造形物の製造方法は、
加熱により膨張する熱膨張層を有した第１媒体と、転写層を有した第２媒体とを、前記転写層が前記第１媒体に対向するように配置する第１ステップと、
前記熱膨張層が膨張可能な温度の熱を前記第１媒体に部分的に加えることにより、当該第１媒体における前記熱が加えられた部分に対応する表面を前記熱膨張層の膨張により隆起させて当該第１媒体の表面に凹凸を形成するとともに、前記隆起した部分の表面に当該表面の隆起に伴って発生する前記転写層への押圧力により前記転写層を選択的に転写させる第２ステップと、
を有することを特徴とする。
【発明の効果】
【０００７】
本発明によれば、隆起を有し、且つ、転写層が転写された造形物を少ない工程で製造することができる。
【図面の簡単な説明】
【０００８】
【図１】本発明の実施形態１に係る熱膨張性シートの断面図である。
【図２】実施形態１に係る転写フィルムの断面図である。
【図３】実施形態１に係る造形システムの概略構成を示す図である。
【図４】実施形態１に係る印刷装置の構成を示す斜視図である。
【図５】図２に示した転写フィルムの表側の面に変換層が形成された例を示す図である。
【図６】図１に示した熱膨張性シートの裏側の面に変換層が形成された例を示す図である。
【図７】実施形態１に係る転写装置の内部構成を模式的に示す図である。
【図８】図７に示した転写装置のトレイの断面図である。
【図９】実施形態１に係る造形システムにおいて実行される表発泡処理の流れを示すフローチャートである。
【図１０】実施形態１の表発泡処理において熱膨張性シートと転写フィルムとが転写装置に載置される様子を示す図である。
【図１１】実施形態１の表発泡処理において熱膨張性シートと転写フィルムとに電磁波が照射される様子を示す図である。
【図１２】実施形態１の表発泡処理において熱膨張性シートが膨張する様子を示す図である。
【図１３】実施形態１の表発泡処理において転写層が転写された後の熱膨張性シートと転写フィルムとを示す図である。
【図１４】実施形態１に係る造形システムにおいて実行される裏発泡処理の流れを示すフローチャートである。
【図１５】実施形態１の裏発泡処理において熱膨張性シートと転写フィルムとが転写装置に載置される様子を示す図である。
【図１６】実施形態１の裏発泡処理において熱膨張性シートと転写フィルムとに電磁波が照射される様子を示す図である。
【図１７】実施形態１の裏発泡処理において熱膨張性シートが膨張する様子を示す図である。
【図１８】実施形態１の裏発泡処理において転写層が転写された後の熱膨張性シートと転写フィルムとを示す図である。
【図１９】本発明の実施形態１に係る造形システムの概略構成を示す図である。
【図２０】実施形態２に係る転写装置の内部構成を模式的に示す図である。
【図２１】実施形態２に係る造形システムにおいて実行される表発泡処理の流れを示すフローチャートである。
【図２２】実施形態２の表発泡処理において熱膨張性シートと転写フィルムとが転写装置に載置される様子を示す図である。
【図２３】実施形態２の表発泡処理において熱膨張性シートと転写フィルムとがサーマルヘッドにより加熱される様子を示す図である。
【図２４】実施形態２の表発泡処理において熱膨張性シートが膨張する様子を示す図である。
【図２５】実施形態２の表発泡処理において転写層が転写された後の熱膨張性シートと転写フィルムとを示す図である。
【図２６】実施形態２に係る造形システムにおいて実行される裏発泡処理の流れを示すフローチャートである。
【図２７】実施形態２の裏発泡処理において熱膨張性シートと転写フィルムとが転写装置に載置される様子を示す図である。
【図２８】実施形態２の裏発泡処理において熱膨張性シートと転写フィルムとがサーマルヘッドにより加熱される様子を示す図である。
【図２９】実施形態２の裏発泡処理において熱膨張性シートが膨張する様子を示す図である。
【図３０】実施形態２の裏発泡処理において転写層が転写された後の熱膨張性シートと転写フィルムとを示す図である。
【図３１】実施形態３に係る転写装置の内部構成を模式的に示す図である。
【発明を実施するための形態】
【０００９】
以下、本発明の実施形態について、図面を参照して説明する。なお、図中同一又は相当する部分には同一符号を付す。
【００１０】
（実施形態１）
＜熱膨張性シート１０＞
図１に、造形物を製造するための第１媒体である熱膨張性シート１０の断面構成を示す。熱膨張性シート１０は、加熱により膨張する熱膨張媒体の一種である。熱膨張性シート１０のうちの予め選択された部分が加熱により膨張することにより、造形物が製造される。造形物とは、立体的な形状を有する物体であって、２次元状のシートにおいて、シートのうちの一部分がシートの表面から外側への方向に膨張することによって製造される。造形物は、立体物又は立体画像とも言う。造形物の形状は、単純な形状、幾何学形状、文字等の形状一般を含む。
【００１１】
言い換えると、造形物は、３次元空間内の特定の２次元面を基準とし、その２次元面に垂直な方向又は斜めの方向に凹凸を有する物体である。このような造形物は、立体（３次元）画像に含まれるが、所謂３Ｄプリンタ技術によって製造される立体画像と区別するため、２．５次元（２．５Ｄ）画像又は擬似３次元（pseudo-3D）画像と呼ぶ。また、このような造形物を製造する技術は、立体画像印刷技術に含まれるが、所謂３Ｄプリンタと区別するため、２．５次元印刷技術又は擬似３次元印刷技術と呼ぶ。
【００１２】
図１に示すように、熱膨張性シート１０は、基材１１と、熱膨張層１２と、を備えている。なお、図１は、造形物が製造される前、すなわちどの部分も膨張していない状態における熱膨張性シート１０の断面を示している。以下では、熱膨張性シート１０の熱膨張層１２側を表側と呼び、基材１１側を裏側と呼ぶ。
【００１３】
基材１１は、熱膨張性シート１０の元となるシート状の媒体である。基材１１は、熱膨張層１２を支持する支持体であって、熱膨張性シート１０の強度を保持する役割を担う。基材１１として、例えば、一般的な印刷用紙を用いることができる。或いは、基材１１の材質は、合成紙、キャンバス地等の布、ポリプロピレン、ポリエチレンテレフタレート（ＰＥＴ）、ポリブチレンテレフタレート（ＰＢＴ）等のプラスチックフィルムであっても良く、特に限定されるものではない。
【００１４】
熱膨張層１２は、基材１１の上側に積層されており、所定の膨張温度以上に加熱されることによって膨張する層である。熱膨張層１２は、バインダと、バインダ内に分散配置された熱膨張剤と、を含む。バインダは、エチレン酢酸ビニル系ポリマー、アクリル系ポリマー等の熱可塑性樹脂である。熱膨張剤は、具体的には、プロパン、ブタン等の低沸点で気化する物質を、熱可塑性樹脂の外殻に内包した、粒径が約５〜５０μｍの熱膨張性のマイクロカプセル（マイクロパウダー）である。熱膨張剤は、例えば８０℃から１２０℃程度の温度に加熱されると、内包している物質が気化し、その圧力によって発泡及び膨張する。このようにして、熱膨張層１２は、吸収した熱量に応じて膨張する。熱膨張剤は、発泡剤とも呼ぶ。
【００１５】
＜転写フィルム２０＞
図２に、第２媒体である転写フィルム２０の断面構成を示す。転写フィルム２０は、熱膨張性シート１０に転写される転写層２２を有する転写媒体の一種である。図２に示すように、転写フィルム２０は、ベース層２１と、転写層２２と、を備えている。以下では、転写フィルム２０のベース層２１側を表側と呼び、転写層２２側を裏側と呼ぶ。
【００１６】
ベース層２１は、転写層２２が貼り付けられた層である。ベース層２１の材質は、例えば、ポリプロピレン、ポリエチレンテレフタレート（ＰＥＴ）、ポリブチレンテレフタレート（ＰＢＴ）等のプラスチックフィルムであるが、特に限定されるものではない。
【００１７】
転写層２２は、被転写物である熱膨張性シート１０に転写される層である。転写層２２の厚みは、例えば１０μｍから１００μｍ程度である。転写層２２の材質は、ユーザが製造することを望む造形物に応じて選択される。例えば、熱膨張性シート１０にカラーインクを転写することにより、装飾性を有する造形物を製造することができる。この場合、転写層２２の材質は、所望の色のカラーインクが選択される。或いは、電極、抵抗、アンテナ、メンブレンスイッチ等の機能性を有する造形物を製造することができる。この場合、転写層２２の材質は、その材料となる銅等の物質が選択される。
【００１８】
転写フィルム２０において、ベース層２１と転写層２２との間には、図示を省略するが、転写層２２をベース層２１から離れやすくするための離型層（バインダ）が設けられている。離型層は、熱膨張性シート１０の熱膨張層１２が膨張を開始する温度である８０℃程度の温度にまで加熱されると融解する。離型層が融解すると、転写層２２がベース層２１から剥がれて熱膨張性シート１０に転写される。
【００１９】
また、転写フィルム２０の裏側の面、すなわち転写層２２側の面には、ベース層２１から剥がれた転写層２２を熱膨張性シート１０に接着させるための接着層が設けられている。接着層は、熱膨張性シート１０の表面に接着しやすい材質で形成されている。接着層は、熱膨張層１２が膨張するために加えられる熱と熱膨張層１２が膨張することにより生じる圧力とにより、熱膨張性シート１０の表面に接着する。
【００２０】
なお、図１に示した熱膨張性シート１０及び図２に示した転写フィルム２０の各層の厚みの比率は例示であり、実際の比率と同じとは限らない。以降の図でも同様である。
【００２１】
＜造形システム１＞
次に、図３を参照して、熱膨張性シート１０に造形物を製造するための造形システム１について説明する。図３に示すように、造形システム１は、端末装置３０と、印刷装置４０と、転写装置５０と、を備える。
【００２２】
＜端末装置３０＞
端末装置３０は、パーソナルコンピュータ、スマートフォン、タブレット等の情報処理装置であって、印刷装置４０及び転写装置５０を制御する制御ユニットである。端末装置３０は、図示を省略するが、ＣＰＵ（Central Processing Unit）、ＲＯＭ（Read Only Memory）及びＲＡＭ（Random Access Memory）を含む制御部と、フラッシュメモリ、ハードディスク等の不揮発性メモリである記憶部と、を備える。また、端末装置３０は、キーボード、マウス、タッチパネル等の入力受付部と、液晶ディスプレイ等の表示部と、ＬＡＮ（Local Area Network）、Ｂｌｕｅｔｏｏｔｈ（登録商標）等を介して外部の機器と通信するための通信部と、を備える。端末装置３０は、制御部による制御のもとで、入力受付部を介してユーザから印刷装置４０及び転写装置５０における各種の設定を受け付け、受け付けた設定を通信部により印刷装置４０及び転写装置５０に送信する。
【００２３】
＜印刷装置４０＞
印刷装置４０は、被印刷媒体に画像を印刷するユニットである。印刷装置４０は、画像形成装置とも呼ぶことができる。印刷装置４０は、一例として、インクを微滴化し、被印刷媒体に対して直接に吹き付ける方式で画像を印刷するインクジェットプリンタである。印刷装置４０は、熱膨張性シート１０と転写フィルム２０とのうちの少なくとも一方に、カーボン分子を含むインクを印刷することにより、電磁波を熱に変換する変換層を形成する。
【００２４】
図４に、印刷装置４０の詳細な構成を示す。図４に示すように、印刷装置４０は、被印刷媒体である熱膨張性シート１０又は転写フィルム２０が搬送される方向である副走査方向Ｄ１（Ｙ方向）に直交する主走査方向Ｄ２（Ｘ方向）に往復移動可能なキャリッジ４１を備える。
【００２５】
キャリッジ４１には、印刷を実行する印刷ヘッド４２と、インクを収容したインクカートリッジ４３（４３ｋ，４３ｃ，４３ｍ，４３ｙ）が取り付けられている。インクカートリッジ４３ｋ，４３ｃ，４３ｍ，４３ｙには、それぞれ、ブラックＫ、シアンＣ、マゼンタＭ、及びイエローＹの色インクが収容されている。各色のインクは、印刷ヘッド４２の対応するノズルから吐出される。
【００２６】
キャリッジ４１は、ガイドレール４４に滑動自在に支持されており、駆動ベルト４５に狭持されている。キャリッジ４１は、モータ４５ｍの回転により駆動ベルト４５が駆動することで、印刷ヘッド４２及びインクカートリッジ４３と共に、主走査方向Ｄ２に移動する。
【００２７】
フレーム４７の下部には、印刷ヘッド４２と対向する位置に、プラテン４８が設けられている。プラテン４８は、主走査方向Ｄ２に延在しており、熱膨張性シート１０又は転写フィルム２０の搬送路の一部を構成している。搬送路には、給紙ローラ対４９ａ（下のローラは不図示）と排紙ローラ対４９ｂ（下のローラは不図示）とが設けられている。給紙ローラ対４９ａと排紙ローラ対４９ｂとは、プラテン４８に支持された熱膨張性シート１０又は転写フィルム２０を副走査方向Ｄ１に搬送する。
【００２８】
印刷装置４０は、いずれも図示しないが、ＣＰＵ等の制御部と、ＲＯＭ、ＲＡＭ、不揮発性メモリ等の記憶部と、を備えている。制御部において、ＣＰＵがＲＡＭをワークメモリとして用いながらＲＯＭに格納された制御プログラムを実行することにより、印刷装置４０の動作を制御する。また、印刷装置４０は、フレキシブル通信ケーブル４６を介して端末装置３０と接続されている。印刷装置４０は、制御部の制御のもと、フレキシブル通信ケーブル４６を介して端末装置３０から印刷データを取得し、取得した印刷データに従って印刷を実行する。印刷データは、カーボン分子を含むインクを印刷することで変換層を形成する位置を示すデータである。
【００２９】
具体的に説明すると、印刷装置４０は、給紙ローラ対４９ａ及び排紙ローラ対４９ｂを制御して、熱膨張性シート１０又は転写フィルム２０を搬送させる。また、印刷装置４０は、モータ４５ｍを回転させてキャリッジ４１を移動させ、印刷ヘッド４２を主走査方向Ｄ２の適切な位置に搬送させる。そして、印刷装置４０は、印刷ヘッド４２に、搬送される熱膨張性シート１０又は転写フィルム２０に向けてインクを噴射させる。これにより、印刷装置４０は、熱膨張性シート１０又は転写フィルム２０の表面に、少なくとも１色のインクで画像を印刷する。
【００３０】
図５及び図６に示すように、熱膨張性シート１０と転写フィルム２０とのうちの少なくとも一方の表面の一部には、印刷装置４０の印刷により、電磁波を熱に変換する変換層１４が形成される。変換層１４は、電磁波を吸収することにより発熱する材料を含む層であって、例えばカーボン分子を含むインクで形成された層である。カーボン分子は、黒色（カーボンブラック）又は他の色のインクに含まれ、電磁波を吸収して熱に変換する電磁波熱変換材料（発熱剤）の一種である。
【００３１】
カーボン分子は、電磁波を吸収して熱振動することで発熱する。変換層１４に含まれるカーボン分子が発熱すると、熱膨張性シート１０における変換層１４が形成された位置に対応する部分が加熱される。熱膨張性シート１０に熱膨張層１２が膨張可能な温度である膨張温度の熱が加えられると、熱膨張層１２が発泡及び膨張する。その結果、熱膨張性シート１０における熱が加えられた部分に対応する表面が、熱膨張層１２の膨張により表側（基材１１と反対側）に向けて隆起し、熱膨張性シート１０の表面に凹凸が形成される。
【００３２】
熱膨張性シート１０における隆起が形成された位置には、後述する転写装置５０において転写フィルム２０から転写層２２が転写される。これにより、熱膨張性シート１０に造形物が製造される。熱膨張性シート１０における隆起の位置とそこに転写される転写層２２の材質とを組み合わせることにより、多彩な造形物を得ることができる。造形（造型）によって視覚又は触覚を通じて美感又は質感を表現することを「加飾（造飾）」と呼ぶ。
【００３３】
熱膨張性シート１０を表側（熱膨張層１２側）から加熱する場合、変換層１４は、図５に示すように、転写フィルム２０の表側の面に設けられる。これに対して、熱膨張性シート１０を裏側（基材１１側）から加熱する場合、変換層１４は、図６に示すように、熱膨張性シート１０の裏側の面に設けられる。以下では、熱膨張性シート１０を表側から加熱して発泡及び膨張させることを、表発泡（表面発泡）と呼び、熱膨張性シート１０を裏側から加熱して発泡及び膨張させることを、裏発泡（裏面発泡）と呼ぶ。表発泡と裏発泡とのどちらで造形物を製造するかは、ユーザが自由に選択することができる。
【００３４】
＜転写装置５０＞
転写装置５０は、転写フィルム２０の転写層２２を熱膨張性シート１０に転写させるユニットである。転写装置５０は、熱膨張性シート１０を加熱することで発泡及び膨張させるため、加熱装置、発泡装置、膨張装置等と呼ぶこともできる。
【００３５】
図７に、転写装置５０の構成を模式的に示す。図７において、Ｘ方向は、転写装置５０の幅方向に相当し、Ｙ方向は、転写装置５０の長手方向に相当し、Ｚ方向は、鉛直方向に相当する。Ｘ方向とＹ方向とＺ方向とは、互いに直交する。
【００３６】
転写装置５０は、箱型の筐体５１の内部に、トレイ１００と、換気ファン５４と、搬送モータ５５と、搬送レール５６と、照射部６０と、電源部６９と、制御部７０と、を備える。
【００３７】
トレイ１００は、熱膨張性シート１０と転写フィルム２０とを筐体５１内の適正な位置に設置するための部材である。トレイ１００は、熱膨張性シート１０と転写フィルム２０とを安定して保持するシート保持機構として機能する。トレイ１００は、図８に示すように、載置部１１０と、ヒータ１２０と、押圧部材１３０と、を備える。
【００３８】
載置部１１０は、熱膨張性シート１０と転写フィルム２０とが重ねられた状態で載置される平面状の部材である。載置部１１０の縁部には、載置部１１０に載置された熱膨張性シート１０及び転写フィルム２０の位置を安定させるため、また熱が外部に逃げないようにするために、それらの４辺を囲うように枠状の凸部１４０が設けられている。載置部１１０は、熱膨張性シート１０と転写フィルム２０とが、転写層２２が熱膨張性シート１０に対向するように配置される配置部に相当する。
【００３９】
ヒータ１２０は、載置部１１０の下側に設けられており、載置部１１０に載置され、押圧部材１３０により押圧された熱膨張性シート１０と転写フィルム２０とを、照射部６０により電磁波が照射される側とは反対側から加熱する。ヒータ１２０は、載置部１１０に載置された熱膨張性シート１０及び転写フィルム２０を全体的に加熱できるように、平板状をしている。
【００４０】
ヒータ１２０は、熱膨張性シート１０と転写フィルム２０とのうちの少なくとも一方に形成された変換層１４に照射部６０により電磁波が照射されている際に、熱膨張性シート１０と転写フィルム２０とをトレイ１００の下側から補助的に加熱する。より詳細には、ヒータ１２０は、照射部６０により電磁波が照射されている際に、熱膨張性シート１０と転写フィルム２０とを、熱膨張性シート１０が膨張を開始する温度に達しない程度の温度である、例えば８０℃未満の温度に加熱する。これにより、載置部１１０に載置された熱膨張性シート１０と転写フィルム２０とは、熱膨張性シート１０が膨張を開始し、且つ、転写層２２が転写可能な温度にまで効率的に加熱される。
【００４１】
押圧部材１３０は、載置部１１０に載置された熱膨張性シート１０と転写フィルム２０とを重ねた状態で押圧する部材である。押圧部材１３０は、厚さが数ｍｍ程度であって、熱膨張性シート１０及び転写フィルム２０を覆うサイズの平板状をしている。押圧部材１３０は、載置部１１０に載置された熱膨張性シート１０及び転写フィルム２０の表面全体をほぼ均一な力で押圧する。
【００４２】
押圧部材１３０は、ユーザにより開閉可能に載置部１１０に取り付けられている。押圧部材１３０は、熱膨張性シート１０と転写フィルム２０とを載置部１１０に載置する際、及び、熱膨張性シート１０と転写フィルム２０とを載置部１１０から取り出す際に開かれる。一方で、押圧部材１３０は、転写層２２の転写処理を実行する際には閉じられて、載置部１１０に載置された熱膨張性シート１０と転写フィルム２０とを上から押圧して固定する。
【００４３】
押圧部材１３０は、例えばアクリル、ポリカーボネート等のような、照射部６０により照射される電磁波に対する透過性を有し、且つ、断熱性を有する材質で形成されている。押圧部材１３０が照射部６０により照射される電磁波に対する透過性を有する材質で形成されている理由は、照射部６０が載置部１１０に載置された熱膨張性シート１０と転写フィルム２０とに対して、押圧部材１３０越しに電磁波を照射することができるようにするためである。具体的には後述するように、照射部６０は、載置部１１０に載置された熱膨張性シート１０と転写フィルム２０とに対して、可視光領域又は赤外領域の波長域の電磁波を照射する。そのため、押圧部材１３０は、可視光領域又は赤外領域の波長域の電磁波に対して透明な材質で形成されている。
【００４４】
また、押圧部材１３０が断熱性を有する材質で形成されている理由は、載置部１１０に載置された熱膨張性シート１０と転写フィルム２０とが押圧部材１３０により押圧された際に、外部に熱が逃げることを抑制して、熱膨張性シート１０と転写フィルム２０とを効率良く加熱することができるようにするためである。具体的には、押圧部材１３０は、熱伝導率が０．６（Ｗ／ｍ・Ｋ）程度よりも小さい材質で形成されることが好適である。
【００４５】
図７に戻って、照射部６０は、電磁波を照射する照射ユニットである。照射部６０は、熱膨張性シート１０と転写フィルム２０とのうちの少なくとも一方に形成された変換層１４に電磁波を照射して変換層１４を発熱させることにより、載置部１１０に載置され、押圧部材１３０により押圧された熱膨張性シート１０と転写フィルム２０とを加熱する。これにより、照射部６０は、熱膨張性シート１０を膨張させ、且つ、転写フィルム２０から熱膨張性シート１０に転写層２２を転写させる転写部として機能する。
【００４６】
図７に示すように、照射部６０は、箱型のカバーの内部に、ランプヒータ６１と、反射板６２と、冷却ファン６４と、を備える。ランプヒータ６１は、例えば照射源としてハロゲンランプを備えており、電磁波として、熱膨張性シート１０に対して、近赤外領域（波長７５０〜１４００ｎｍ）、可視光領域（波長３８０〜７５０ｎｍ）、又は、中赤外領域（波長１４００〜４０００ｎｍ）の光を照射する。照射部６０及びランプヒータ６１は、このような波長域の光を照射することにより、熱膨張性シート１０にエネルギーを照射する。ランプヒータ６１は、トレイ１００に載置された熱膨張性シート１０に対して、Ｘ方向（トレイ１００の幅方向）に亘って略均一の電磁波を照射できるように、Ｘ方向に長い形状をしている。なお、ランプヒータ６１によって照射される光は、電磁波であれば良く、上記波長域の光であることに限らない。
【００４７】
反射板６２は、ランプヒータ６１の上側を覆うように配置されており、ランプヒータ６１から照射された光を下側に向けて反射する。冷却ファン６４は、外気を吸入し、吸入した外気を反射板６２及びその下方に送ることで照射部６０及び筐体５１の内部を冷却する。換気ファン５４は、転写装置５０における一方の端部に設けられており、筐体５１の内部の空気を外部に排出することで筐体５１の内部を換気する。
【００４８】
筐体５１の内部には、Ｙ方向に、すなわちトレイ１００に載置された熱膨張性シート１０又は転写フィルム２０の表面に平行な方向に搬送レール５６が設けられている。照射部６０は、搬送レール５６に沿って移動することができるように搬送レール５６に取り付けられている。
【００４９】
搬送モータ５５は、パルス電力に同期して動作するステッピングモータである。照射部６０は、搬送モータ５５の回転に伴う駆動力を動力源として、トレイ１００との距離を一定に保ちながら、搬送レール５６に沿って往復移動する。照射部６０は、搬送レール５６に沿って移動しながら、トレイ１００に載置された熱膨張性シート１０又は転写フィルム２０に向けて電磁波を照射する。
【００５０】
電源部６９は、電源ＩＣ（Integrated Circuit）等を備え、転写装置５０内の各部に必要な電源を作り出して供給する。例えば、換気ファン５４、搬送モータ５５、ランプヒータ６１及び冷却ファン６４は、電源部６９から電力を得て動作する。
【００５１】
制御部７０は、筐体５１の下部に配置された基板上に設けられている。制御部７０は、ＣＰＵ等のプロセッサと、ＲＯＭ、ＲＡＭ等のメモリと、を備えており、命令やデータを転送するための伝送経路であるシステムバスを介して転写装置５０の各部と接続されている。また、制御部７０は、いずれも図示しないが、フラッシュメモリ、ハードディスク等の不揮発性メモリと、ＲＴＣ（Real Time Clock）等の計時デバイスと、端末装置３０と通信するための通信インタフェースと、を備える。
【００５２】
制御部７０において、ＣＰＵが、ＲＯＭに記憶されている制御プログラムを読み出して、ＲＡＭをワークメモリとして用いながら、転写装置５０全体の動作を制御する。具体的に説明すると、制御部７０は、搬送モータ５５を制御して、照射部６０を指定された向きに指定された移動速度で移動させ、照射部６０を制御して、トレイ１００に載置された熱膨張性シート１０及び転写フィルム２０に向けて電磁波を照射させる。
【００５３】
＜造形システム１の処理フロー＞
以上のように構成された造形システム１において実行される造形物の製造処理の流れについて説明する。図９は、表発泡により造形物を製造する処理（表発泡処理）の流れを示すフローチャートである。これに対して、図１４は、裏発泡により造形物を製造する処理（裏発泡処理）の流れを示すフローチャートである。
【００５４】
表発泡により造形物を製造する場合、ユーザは、図９に示す手順に従う。まず、ユーザは、転写層２２の転写位置を設定する（ステップＳ１０１）。具体的に説明すると、ユーザは、端末装置３０を操作して、熱膨張性シート１０を膨張させて転写フィルム２０から転写層２２を転写させる熱膨張性シート１０上の位置を設定する。
【００５５】
例えば、熱膨張性シート１０にカラーインクを転写することにより装飾性を有する造形物を製造する場合、ユーザは、転写位置として、熱膨張性シート１０上におけるカラーインクが転写される位置を設定する。或いは、電極、抵抗等の機能性を有する造形物を製造する場合、ユーザは、転写位置として、熱膨張性シート１０上における電極、抵抗等が形成される位置を設定する。
【００５６】
転写層２２の転写位置を設定すると、ユーザは、印刷装置４０を用いて、転写フィルム２０に変換層１４を形成する（ステップＳ１０２）。具体的に説明すると、ユーザは、転写フィルム２０の表側の面が印刷面となるように、転写フィルム２０を印刷装置４０に挿入する。印刷装置４０は、挿入された転写フィルム２０の表側の面における、ステップＳ１０１で設定された転写位置に、カーボン分子を含むインクを塗布する。その結果、図５に示したように、転写フィルム２０の表側の面の一部に変換層１４が形成される。なお、転写フィルム２０に形成される変換層１４の濃度は、転写装置５０において電磁波が照射された場合に熱膨張層１２が膨張温度にまで加熱される程度の濃度に予め設定されている。ステップＳ１０２は、形成ステップに相当する。
【００５７】
転写フィルム２０に変換層１４を形成すると、ユーザは、転写装置５０のトレイ１００に熱膨張性シート１０と転写フィルム２０とを重ねて載置する（ステップＳ１０３）。具体的には図１０に示すように、ユーザは、熱膨張性シート１０を、その表側の面を上側に向けて載置部１１０の上に載置する。そして、表側の面の一部に変換層１４が形成された転写フィルム２０を、その表側の面を上側に向けて熱膨張性シート１０の上に重ねる。言い換えると、熱膨張性シート１０と転写フィルム２０とを、転写フィルム２０の裏側の面が熱膨張性シート１０の表側の面に対向するように配置する。これにより、熱膨張性シート１０の表側の面に転写フィルム２０の裏側の面が密着した状態で、載置部１１０に載置される。ステップＳ１０３は、配置ステップ（第１ステップ）に相当する。
【００５８】
熱膨張性シート１０と転写フィルム２０とをトレイ１００に載置すると、ユーザは、載置された熱膨張性シート１０と転写フィルム２０とを押圧部材１３０により押圧する（ステップＳ１０４）。このとき、押圧部材１３０は、熱膨張性シート１０の表側の面と転写フィルム２０の裏側の面とが重ねられた状態で、熱膨張性シート１０と転写フィルム２０とを転写フィルム２０の表側から押圧する。ステップＳ１０４は、押圧ステップに相当する。
【００５９】
具体的には図１１に示すように、ユーザは、熱膨張性シート１０に重ねて載置された転写フィルム２０の表側の面に押圧部材１３０を被せる。そして、ユーザは、押圧部材１３０を転写フィルム２０の表側の面に押し付けて圧力を加える。これにより、熱膨張性シート１０と転写フィルム２０とは、互いに密着した状態で押圧される。このとき、押圧部材１３０の上に重りを載せて加重をかけることで、熱膨張性シート１０と転写フィルム２０とをより強い力で密着させても良い。
【００６０】
トレイ１００に載置された熱膨張性シート１０と転写フィルム２０とを押圧部材１３０により押圧すると、ユーザは、転写装置５０を操作して、転写フィルム２０の表側から電磁波を照射させる（ステップＳ１０５）。具体的に説明すると、転写装置５０において、照射部６０は、トレイ１００に載置された転写フィルム２０の表側の面に向けて、押圧部材１３０越しに電磁波を照射する。このとき、照射部６０は、その一部に変換層１４が形成された転写フィルム２０の表側の面の全体に電磁波が照射されるように、搬送レール５６に沿って移動しながら電磁波を照射する。これにより、照射部６０は、熱膨張性シート１０における変換層１４が形成された部分に対応する表面を隆起させ、且つ、熱膨張性シート１０の表面の隆起に伴って発生する転写層２２への押圧力により、熱膨張性シート１０の隆起した部分の表面に転写層２２を選択的に転写させる。ステップＳ１０５は、転写ステップ（第２ステップ）に相当する。
【００６１】
押圧部材１３０は、照射部６０から照射された電磁波を透過する材質で形成されているため、電磁波は、押圧部材１３０を透過して転写フィルム２０の表側の面に達する。転写フィルム２０の表側の面に形成された変換層１４に電磁波が照射されると、変換層１４において電磁波が熱に変換され、変換層１４が発熱する。変換層１４で生じた熱は、転写フィルム２０の表側から裏側に伝導し、更に熱膨張性シート１０の熱膨張層１２に伝導する。その結果、熱膨張層１２のうちの、変換層１４が形成された位置に対応する部分、すなわち転写フィルム２０における変換層１４が形成された位置に重ねられた部分が主に加熱される。
【００６２】
具体的には図１２に示すように、熱膨張層１２は、膨張温度にまで加熱されると、表側に向けて、すなわち転写フィルム２０が重ねられた側に向けて膨張する。熱膨張層１２が膨張すると、膨張により生じる圧力と変換層１４で生じる熱とにより、転写層２２の裏側に設けられた接着層が熱膨張層１２に接着される。また、変換層１４で生じる熱により離型層が融解することで、転写層２２が転写フィルム２０から離れる。これにより、転写フィルム２０における変換層１４が形成された部分の転写層２２が、熱膨張性シート１０に転写される。
【００６３】
なお、ステップＳ１０５において、転写装置５０は、照射部６０から電磁波を照射すると共に、ヒータ１２０を稼働させる。これにより、転写装置５０は、熱膨張性シート１０と転写フィルム２０とをトレイ１００の下側から更に加熱し、転写層２２が転写フィルム２０から熱膨張性シート１０に転写しやすくする。
【００６４】
このようにして熱膨張性シート１０を膨張させて転写層２２を転写させると、ユーザは、熱膨張性シート１０から転写フィルム２０を取り外す（ステップＳ１０６）。具体的に説明すると、ユーザは、熱膨張性シート１０と転写フィルム２０とをトレイ１００から取り出す。そして、ユーザは、転写フィルム２０を熱膨張性シート１０から剥がす。
【００６５】
その結果、図１３に示すように、熱膨張性シート１０の膨張した領域に、転写フィルム２０の対応する部分の転写層２２が転写された造形物が得られる。このとき、転写フィルム２０のうちの、熱膨張性シート１０の膨張していない領域に重ねられた部分の転写層２２は転写されず、転写フィルム２０に残される。以上のような手順によって、熱膨張性シート１０上の隆起が形成された部分に転写層２２が転写された造形物が製造される。
【００６６】
一方で、裏発泡により造形物を製造する場合、ユーザは、図１４に示す手順に従う。まず、ユーザは、転写層２２の転写位置を設定する（ステップＳ２０１）。具体的に説明すると、表発泡処理におけるステップＳ１０１と同様に、ユーザは、端末装置３０を操作して、熱膨張性シート１０を膨張させて転写フィルム２０から転写層２２を転写させる熱膨張性シート１０上の位置を設定する。
【００６７】
転写層２２の転写位置を設定すると、ユーザは、印刷装置４０を用いて、熱膨張性シート１０に変換層１４を形成する（ステップＳ２０２）。具体的に説明すると、ユーザは、熱膨張性シート１０の裏側の面が印刷面となるように、熱膨張性シート１０を印刷装置４０に挿入する。印刷装置４０は、挿入された熱膨張性シート１０の裏側の面における、ステップＳ２０１で設定された転写位置に、カーボン分子を含むインクを塗布する。その結果、図６に示したように、熱膨張性シート１０の裏側の面の一部に変換層１４が形成される。なお、熱膨張性シート１０に形成される変換層１４の濃度は、転写装置５０において電磁波が照射された場合に熱膨張層１２が膨張温度にまで加熱される程度の濃度に予め設定されている。ステップＳ２０２は、形成ステップに相当する。
【００６８】
熱膨張性シート１０に変換層１４を形成すると、ユーザは、転写装置５０のトレイ１００に熱膨張性シート１０と転写フィルム２０とを重ねて載置する（ステップＳ２０３）。具体的には図１５に示すように、ユーザは、転写フィルム２０を、その裏側の面を上側に向けて載置部１１０の上に載置する。そして、裏側の面の一部に変換層１４が形成された熱膨張性シート１０を、その裏側の面を上側に向けて転写フィルム２０の上に重ねる。言い換えると、熱膨張性シート１０と転写フィルム２０とを、熱膨張性シート１０の表側の面が転写フィルム２０の裏側の面に対向するように配置する。これにより、転写フィルム２０の裏側の面に熱膨張性シート１０の表側の面が密着した状態で、載置部１１０に載置される。ステップＳ２０３は、配置ステップ（第１ステップ）に相当する。
【００６９】
熱膨張性シート１０と転写フィルム２０とをトレイ１００に載置すると、ユーザは、載置された熱膨張性シート１０と転写フィルム２０とを押圧部材１３０により押圧する（ステップＳ２０４）。このとき、押圧部材１３０は、熱膨張性シート１０の表側の面と転写フィルム２０の裏側の面とが重ねられた状態で、熱膨張性シート１０と転写フィルム２０とを熱膨張性シート１０の裏側から押圧する。ステップＳ２０４は、押圧ステップに相当する。
【００７０】
具体的には図１６に示すように、転写フィルム２０に重ねて載置された熱膨張性シート１０の裏側の面に押圧部材１３０を被せる。そして、押圧部材１３０を熱膨張性シート１０の裏側の面に押し付けて圧力を加える。これにより、熱膨張性シート１０と転写フィルム２０とは、互いに密着した状態で押圧される。このとき、押圧部材１３０の上に重りを載せて加重をかけることで、熱膨張性シート１０と転写フィルム２０とをより強い力で密着させても良い。
【００７１】
トレイ１００に載置された熱膨張性シート１０と転写フィルム２０とを押圧部材１３０により押圧すると、ユーザは、転写装置５０を操作して、熱膨張性シート１０の裏側から電磁波を照射させる（ステップＳ２０５）。具体的に説明すると、転写装置５０において、照射部６０は、トレイ１００に載置された熱膨張性シート１０の裏側の面に向けて、押圧部材１３０越しに電磁波を照射する。このとき、照射部６０は、その一部に変換層１４が形成された熱膨張性シート１０の裏側の面の全体に電磁波が照射されるように、搬送レール５６に沿って移動しながら電磁波を照射する。これにより、照射部６０は、熱膨張性シート１０における変換層１４が形成された部分に対応する表面を隆起させ、且つ、熱膨張性シート１０の表面の隆起に伴って発生する転写層２２への押圧力により、熱膨張性シート１０の隆起した部分の表面に転写層２２を選択的に転写させる。ステップＳ２０５は、転写ステップ（第２ステップ）に相当する。
【００７２】
押圧部材１３０は、照射部６０から照射された電磁波を透過する材質で形成されているため、電磁波は、押圧部材１３０を透過して熱膨張性シート１０の裏側の面に達する。熱膨張性シート１０の裏側の面に形成された変換層１４に電磁波が照射されると、変換層１４において電磁波が熱に変換され、変換層１４が発熱する。変換層１４で生じた熱は、熱膨張性シート１０の裏側から基材１１を通って熱膨張層１２に伝導し、更に転写フィルム２０に伝導する。その結果、熱膨張層１２のうちの、変換層１４が形成された位置に対応する部分が主に加熱される。
【００７３】
具体的には図１７に示すように、熱膨張層１２は、膨張温度にまで加熱されると、表側に向けて、すなわち転写フィルム２０が重ねられた側に向けて膨張する。熱膨張層１２が膨張すると、膨張により生じる圧力と変換層１４で生じる熱とにより、転写層２２の裏側に設けられた接着層が熱膨張層１２に接着される。また、変換層１４で生じる熱により離型層が融解することで、転写層２２が転写フィルム２０から離れる。これにより、転写フィルム２０における変換層１４が形成された部分の転写層２２が、熱膨張性シート１０に転写される。
【００７４】
なお、ステップＳ２０５において、転写装置５０は、ステップＳ１０５と同様に、照射部６０から電磁波を照射すると共に、ヒータ１２０を稼働させる。これにより、転写装置５０は、熱膨張性シート１０と転写フィルム２０とをトレイ１００の下側から更に加熱し、転写層２２が転写フィルム２０から熱膨張性シート１０に転写しやすくする。
【００７５】
このようにして熱膨張性シート１０を膨張させて転写層２２を転写させると、ユーザは、熱膨張性シート１０から転写フィルム２０を取り外す（ステップＳ２０６）。具体的に説明すると、ユーザは、熱膨張性シート１０と転写フィルム２０とをトレイ１００から取り出す。そして、ユーザは、転写フィルム２０を熱膨張性シート１０から剥がす。
【００７６】
その結果、図１８に示すように、熱膨張性シート１０の膨張した領域に、転写フィルム２０の対応する部分の転写層２２が転写された造形物が得られる。このとき、転写フィルム２０のうちの、熱膨張性シート１０の膨張していない領域に重ねられた部分の転写層２２は転写されず、転写フィルム２０に残される。以上のような手順によって、熱膨張性シート１０上の隆起が形成された部分に転写層２２が転写された造形物が製造される。
【００７７】
以上説明したように、実施形態１に係る造形システム１は、印刷装置４０において、熱膨張性シート１０と転写フィルム２０とのうちの少なくとも一方に電磁波を熱に変換する変換層１４を形成し、転写装置５０において、印刷装置４０で少なくとも一方に変換層１４が形成された熱膨張性シート１０と転写フィルム２０とを重ねてトレイ１００に載置し、押圧部材１３０により押圧する。そして、転写装置５０において、変換層１４に電磁波を照射して変換層１４を発熱させることにより、熱膨張性シート１０を膨張させ、且つ、転写フィルム２０から熱膨張性シート１０に転写層２２を転写させる。
【００７８】
このように、実施形態１に係る造形システム１は、変換層１４で生じる熱により熱膨張性シート１０を膨張させ、且つ、変換層１４で生じる熱と熱膨張性シート１０の膨張により生じる圧力とにより転写層２２を転写させる。そのため、熱膨張性シート１０を膨張させて隆起を形成する処理と、熱膨張性シート１０に転写層２２を転写させる処理とを、別の工程では無く、１つの工程で実現することができる。その結果、実施形態１に係る造形システム１は、隆起を有し、且つ、転写層２２が転写された造形物を、少ない工程で製造することができる。
【００７９】
また、実施形態１に係る転写装置５０は、１つの工程で熱膨張性シート１０を膨張させて転写層２２を転写させるため、熱膨張性シート１０における隆起が形成された部分に高精度で転写層２２を転写させることができる。言い換えると、転写層２２の転写位置のずれを抑えることができる。特に、もし熱膨張性シート１０を膨張させた後で転写層２２を転写させると、転写層２２は、熱膨張性シート１０に形成された隆起の最も高い部分には転写しやすいが、隆起の側面には転写しにくい。一方で、転写層２２を転写させた後で熱膨張性シート１０を膨張させると、膨張により転写層２２の位置がずれる等の不具合が生じやすくなる。これに対して、実施形態１に係る転写装置５０は、熱膨張性シート１０を膨張させて隆起を形成する処理と、熱膨張性シート１０に転写層２２を転写させる処理とを、１つの工程で実行するため、隆起の側面のような曲面状の部分も含めて、熱膨張性シート１０における隆起が形成された部分に高精度に転写層２２が転写させることができる。
【００８０】
（実施形態２）
次に、本発明の実施形態２について説明する。実施形態１と同様の事項については適宜説明を省略する。
【００８１】
実施形態１では、転写フィルム２０又は熱膨張性シート１０に形成された変換層１４に電磁波を照射することにより変換層１４を発熱させて、熱膨張性シート１０を膨張させた。これに対して、実施形態２では、変換層１４を用いず、サーマルヘッドにより熱膨張性シート１０を加熱させることにより、熱膨張性シート１０を膨張させる。
【００８２】
図１９に、実施形態２に係る造形システム１ａの構成を示す。図１９に示すように、実施形態２に係る造形システム１ａは、端末装置３０と、転写装置５０ａと、を備える。一方で、実施形態２に係る造形システム１ａは、実施形態１に係る造形システム１とは異なり、熱膨張性シート１０又は転写フィルム２０に変換層１４を形成する必要がないため、印刷装置４０を備えない。
【００８３】
図２０に、実施形態２に係る転写装置５０ａの内部構成を示す。図２０に示すように、転写装置５０ａは、筐体５１ａの内部に、搬送ローラ対１５０ａ，１５０ｂと、搬送ガイド１５１ａ，１５１ｂと、サーマルヘッド１６０と、プラテンローラ１７０と、を備える。また、転写装置５０ａは、熱膨張性シート１０と転写フィルム２０とを筐体５１ａの内部に搬入するための搬入部１５２と、熱膨張性シート１０と転写フィルム２０とを筐体５１ａの外部に搬出するための搬出部１５３と、を備える。
【００８４】
搬送ローラ対１５０ａ，１５０ｂは、搬入部１５２から搬入された熱膨張性シート１０と転写フィルム２０とを、搬送ガイド１５１ａ，１５１ｂに沿って搬送する。搬送ローラ対１５０ａ，１５０ｂは、それぞれ一対のローラを備えており、一対のローラによって熱膨張性シート１０と転写フィルム２０とを挟持する。一対のローラは、搬送モータ（図示を省略）と接続されており、搬送モータの回転に伴う駆動力を動力源として回転する。搬送モータは、例えばパルス電力に同期して動作するステッピングモータである。
【００８５】
搬送ローラ対１５０ａは、サーマルヘッド１６０よりも搬入部１５２側に設置されている。搬送ローラ対１５０ａは、搬入部１５２から搬入された熱膨張性シート１０と転写フィルム２０とを、搬送ガイド１５１ｂに沿って搬送し、サーマルヘッド１６０により加熱される位置に導く。搬送ローラ対１５０ｂは、サーマルヘッド１６０よりも搬出部１５３側に設置されている。搬送ローラ対１５０ｂは、サーマルヘッド１６０により加熱された後の熱膨張性シート１０を、搬送ガイド１５１ｂに沿って搬送し、搬出部１５３に搬出する。
【００８６】
サーマルヘッド１６０は、搬送ローラ対１５０ａ，１５０ｂにより搬送される熱膨張性シート１０と転写フィルム２０とのうちの一方に当接して加熱する。これにより、サーマルヘッド１６０は、熱膨張性シート１０を膨張させ、且つ、転写フィルム２０から熱膨張性シート１０に転写層２２を転写させる転写部として機能する。
【００８７】
サーマルヘッド１６０は、搬送ローラ対１５０ａ，１５０ｂにより搬送される熱膨張性シート１０又は転写フィルム２０の表面に当接する部分に、予め定められたピッチで配列された複数の微小な発熱体１６１を備える。サーマルヘッド１６０は、複数の発熱体１６１のうちの、熱膨張性シート１０を膨張させる部分に対応する少なくとも１つの発熱体１６１を選択的に発熱させる。これにより、サーマルヘッド１６０は、膨張温度の熱を熱膨張性シート１０に部分的に加える。
【００８８】
プラテンローラ１７０は、サーマルヘッド１６０の下側に設けられており、熱膨張性シート１０と転写フィルム２０とを、サーマルヘッド１６０との間で挟み込んで搬送する。プラテンローラ１７０は、熱膨張性シート１０と転写フィルム２０とがサーマルヘッド１６０により加熱される際に、熱膨張性シート１０と転写フィルム２０とをサーマルヘッド１６０との間で押圧して圧力を加える押圧部材として機能する。プラテンローラ１７０により加えられる圧力により、サーマルヘッド１６０による加熱によって膨張した熱膨張性シート１０に、転写フィルム２０の転写層２２を的確に転写させることが可能になる。
【００８９】
また、転写装置５０ａは、図示を省略するが、実施形態１に係る転写装置５０と同様に、転写装置５０ａ内の各部に必要な電源を作り出して供給する電源部６９と、転写装置５０ａ内の各部を制御する制御部７０と、を備える。
【００９０】
次に、実施形態２に係る造形システム１ａにおいて実行される造形物の製造処理の流れについて説明する。図２１は、表発泡により造形物を製造する処理（表発泡処理）の流れを示すフローチャートである。これに対して、図２６は、裏発泡により造形物を製造する処理（裏発泡処理）の流れを示すフローチャートである。実施形態１と同様に、表発泡と裏発泡とのどちらで造形物を製造するかは、ユーザが自由に選択することができる。
【００９１】
表発泡により造形物を製造する場合、ユーザは、図２１に示す手順に従う。まず、ユーザは、転写層２２の転写位置を設定する（ステップＳ３０１）。具体的に説明すると、ユーザは、端末装置３０を操作して、熱膨張性シート１０を膨張させて転写フィルム２０から転写層２２を転写させる熱膨張性シート１０上の位置を設定する。
【００９２】
転写層２２の転写位置を設定すると、ユーザは、転写装置５０ａの搬入部１５２に、熱膨張性シート１０と転写フィルム２０とを重ねて載置する（ステップＳ３０２）。具体的には図２２に示すように、ユーザは、熱膨張性シート１０の表側の面に転写フィルム２０の裏側の面を重ねる。言い換えると、熱膨張性シート１０と転写フィルム２０とを、転写フィルム２０の裏側の面が熱膨張性シート１０の表側の面に対向するように配置する。そして、ユーザは、転写フィルム２０の表側の面がサーマルヘッド１６０に当接する側である上側を向くように、熱膨張性シート１０と転写フィルム２０とを重ねた状態で、搬入部１５２に載置する。ステップＳ３０２は、配置ステップ（第１ステップ）に相当する。
【００９３】
熱膨張性シート１０と転写フィルム２０とを搬入部１５２に載置すると、ユーザは、転写装置５０ａを操作して、転写フィルム２０の表側からサーマルヘッド１６０により加熱する（ステップＳ３０３）。これにより、熱膨張性シート１０の膨張処理と転写層２２の転写処理とを実行する。ステップＳ３０３は、押圧ステップ及び転写ステップ（第２ステップ）に相当する。
【００９４】
具体的に説明すると、転写装置５０ａは、搬送ローラ対１５０ａ，１５０ｂとプラテンローラ１７０とを駆動させることにより、重ねた状態で搬入部１５２から搬入された熱膨張性シート１０と転写フィルム２０とを搬送する。このように熱膨張性シート１０と転写フィルム２０とが搬送される際に、サーマルヘッド１６０は、サーマルヘッド１６０とプラテンローラ１７０との間で押圧されて搬送される熱膨張性シート１０と転写フィルム２０とを加熱する。
【００９５】
具体的には図２３に示すように、プラテンローラ１７０は、熱膨張性シート１０の裏側の面に当接し、熱膨張性シート１０の表側の面と転写フィルム２０の裏側の面とが重ねられた状態で、熱膨張性シート１０と転写フィルム２０とを熱膨張性シート１０の裏側、すなわち転写フィルム２０に対向する面とは反対側から押圧する。そして、サーマルヘッド１６０は、転写フィルム２０の表側の面、すなわち熱膨張性シート１０に対向する面とは反対側の面に当接し、プラテンローラ１７０により押圧された熱膨張性シート１０と転写フィルム２０とを転写フィルム２０の表側から加熱する。これにより、サーマルヘッド１６０は、熱膨張性シート１０における熱が加えられた部分に対応する表面を隆起させ、且つ、熱膨張性シート１０の表面の隆起に伴って発生する転写層２２への押圧力により、熱膨張性シート１０の隆起した部分の表面に転写層２２を選択的に転写させる。
【００９６】
具体的には図２３に示すように、転写装置５０ａは、サーマルヘッド１６０に設けられた複数の発熱体１６１のうちの、ステップＳ３０１で設定された転写位置に対応する発熱体１６１を発熱させる。発熱体１６１で生じた熱は、転写フィルム２０内を表側から裏側に伝導し、更に熱膨張性シート１０の熱膨張層１２に伝導する。その結果、熱膨張層１２のうちの、発熱した発熱体１６１の位置に対応する部分が主に加熱される。
【００９７】
熱膨張層１２は、膨張温度にまで加熱されると、図２４に示すように、表側に向けて、すなわち転写フィルム２０が重ねられた側に向けて膨張する。熱膨張層１２が膨張すると、膨張により生じる圧力と発熱体１６１で生じた熱とにより、転写層２２の裏側に設けられた接着層が熱膨張層１２に接着される。また、発熱体１６１で生じた熱により離型層が融解することで、転写層２２が転写フィルム２０から離れる。これにより、転写フィルム２０における発熱体１６１により加熱された部分の転写層２２が、熱膨張性シート１０に転写される。このようにして転写処理が実行された熱膨張性シート１０と転写フィルム２０とは、転写装置５０ａの搬出部１５３に搬出される。
【００９８】
このようにして熱膨張性シート１０を膨張させて転写層２２を転写させると、ユーザは、熱膨張性シート１０から転写フィルム２０を取り外す（ステップＳ３０４）。具体的に説明すると、ユーザは、熱膨張性シート１０と転写フィルム２０とを搬出部１５３から取り出す。そして、ユーザは、転写フィルム２０を熱膨張性シート１０から剥がす。
【００９９】
その結果、図２５に示すように、熱膨張性シート１０の膨張した領域に、転写フィルム２０の対応する部分の転写層２２が転写された造形物が得られる。このとき、転写フィルム２０のうちの、熱膨張性シート１０の膨張していない領域に重ねられた部分の転写層２２は転写されず、転写フィルム２０に残される。以上のような手順によって、熱膨張性シート１０上の隆起が形成された部分に転写層２２が転写された造形物が製造される。
【０１００】
一方で、裏発泡により造形物を製造する場合、ユーザは、図２６に示す手順に従う。まず、ユーザは、転写層２２の転写位置を設定する（ステップＳ４０１）。具体的に説明すると、ユーザは、端末装置３０を操作して、熱膨張性シート１０を膨張させて転写フィルム２０から転写層２２を転写させる熱膨張性シート１０上の位置を設定する。
【０１０１】
転写層２２の転写位置を設定すると、ユーザは、転写装置５０ａの搬入部１５２に、熱膨張性シート１０と転写フィルム２０とを重ねて載置する（ステップＳ４０２）。具体的には図２７に示すように、ユーザは、熱膨張性シート１０の表側の面に転写フィルム２０の裏側の面を重ねる。言い換えると、熱膨張性シート１０と転写フィルム２０とを、熱膨張性シート１０の表側の面が転写フィルム２０の裏側の面に対向するように配置する。そして、ユーザは、熱膨張性シート１０の裏側の面がサーマルヘッド１６０に当接する側である上側を向くように、熱膨張性シート１０と転写フィルム２０とを重ねた状態で、搬入部１５２に載置する。ステップＳ４０２は、配置ステップ（第１ステップ）に相当する。
【０１０２】
熱膨張性シート１０と転写フィルム２０とを搬入部１５２に載置すると、ユーザは、転写装置５０ａを操作して、熱膨張性シート１０の裏側からサーマルヘッド１６０により加熱する（ステップＳ４０３）。これにより、熱膨張性シート１０の膨張処理と転写層２２の転写処理とを実行する。ステップＳ４０３は、押圧ステップ及び転写ステップ（第２ステップ）に相当する。
【０１０３】
具体的に説明すると、転写装置５０ａは、搬送ローラ対１５０ａ，１５０ｂとプラテンローラ１７０とを駆動させることにより、重ねた状態で搬入部１５２から搬入された熱膨張性シート１０と転写フィルム２０とを搬送する。このように熱膨張性シート１０と転写フィルム２０とが搬送される際に、サーマルヘッド１６０は、サーマルヘッド１６０とプラテンローラ１７０との間で押圧されて搬送される熱膨張性シート１０と転写フィルム２０とを加熱する。
【０１０４】
具体的には図２８に示すように、プラテンローラ１７０は、転写フィルム２０の表側の面に当接し、熱膨張性シート１０の表側の面と転写フィルム２０の裏側の面とが重ねられた状態で、熱膨張性シート１０と転写フィルム２０とを転写フィルム２０の表側、すなわち熱膨張性シート１０に対向する面とは反対側から押圧する。そして、サーマルヘッド１６０は、熱膨張性シート１０の裏側の面、すなわち転写フィルム２０に対向する面とは反対側の面に当接し、プラテンローラ１７０により押圧された熱膨張性シート１０と転写フィルム２０とを熱膨張性シート１０の裏側から加熱する。これにより、サーマルヘッド１６０は、熱膨張性シート１０における熱が加えられた部分に対応する表面を隆起させ、且つ、熱膨張性シート１０の表面の隆起に伴って発生する転写層２２への押圧力により、熱膨張性シート１０の隆起した部分の表面に転写層２２を選択的に転写させる。
【０１０５】
具体的には図２８に示すように、転写装置５０ａは、サーマルヘッド１６０に設けられた複数の発熱体１６１のうちの、ステップＳ４０１で設定された転写位置に対応する発熱体１６１を発熱させる。発熱体１６１で生じた熱は、熱膨張性シート１０の裏側から基材１１を通って熱膨張層１２に伝導し、更に転写フィルム２０に伝導する。その結果、熱膨張層１２のうちの、発熱した発熱体１６１の位置に対応する部分が主に加熱される。
【０１０６】
熱膨張層１２は、膨張温度にまで加熱されると、図２９に示すように、表側に向けて、すなわち転写フィルム２０が重ねられた側に向けて膨張する。熱膨張層１２が膨張すると、膨張により生じる圧力と発熱体１６１で生じた熱とにより、転写層２２の裏側に設けられた接着層が熱膨張層１２に接着される。また、発熱体１６１で生じた熱により離型層が融解することで、転写層２２が転写フィルム２０から離れる。これにより、転写フィルム２０における発熱体１６１により加熱された部分の転写層２２が、熱膨張性シート１０に転写される。このようにして転写処理が実行された熱膨張性シート１０と転写フィルム２０とは、転写装置５０ａの搬出部１５３に搬出される。
【０１０７】
このようにして熱膨張性シート１０を膨張させて転写層２２を転写させると、ユーザは、熱膨張性シート１０から転写フィルム２０を取り外す（ステップＳ４０４）。具体的に説明すると、ユーザは、熱膨張性シート１０と転写フィルム２０とを搬出部１５３から取り出す。そして、ユーザは、転写フィルム２０を熱膨張性シート１０から剥がす。
【０１０８】
その結果、図３０に示すように、熱膨張性シート１０の膨張した領域に、転写フィルム２０の対応する部分の転写層２２が転写された造形物が得られる。このとき、転写フィルム２０のうちの、熱膨張性シート１０の膨張していない領域に重ねられた部分の転写層２２は転写されず、転写フィルム２０に残される。以上のような手順によって、熱膨張性シート１０上の隆起が形成された部分に転写層２２が転写された造形物が製造される。
【０１０９】
以上説明したように、実施形態２に係る造形システム１ａは、転写装置５０ａにおいて、搬送ローラ対１５０ａ，１５０ｂにより搬送される熱膨張性シート１０と転写フィルム２０とのうちの一方に当接するサーマルヘッド１６０を備える。そして、造形システム１ａは、サーマルヘッド１６０により熱膨張性シート１０と転写フィルム２０とを加熱することにより、熱膨張性シート１０を膨張させ、且つ、転写フィルム２０から熱膨張性シート１０に転写層２２を転写させる。
【０１１０】
このように、サーマルヘッド１６０により熱膨張性シート１０と転写フィルム２０とを加熱するため、実施形態２に係る造形システム１ａは、実施形態１のように印刷装置４０により熱膨張性シート１０又は転写フィルム２０に変換層１４を形成する必要がない。そのため、隆起を有し、且つ、転写層２２が転写された造形物を、より少ない工程且つよりシンプルな構成で製造することができる。
【０１１１】
（実施形態３）
次に、本発明の実施形態３について説明する。実施形態１，２と同様の事項については適宜説明を省略する。
【０１１２】
実施形態２では、転写装置５０ａは、搬入部１５２に載置された熱膨張性シート１０と転写フィルム２０とを搬送ローラ対１５０ａ，１５０ｂ及びプラテンローラ１７０により搬送した。これに対して、実施形態３に係る転写装置５０ｂは、いわゆるラベルプリンタであって、ロール状に巻かれて保持された熱膨張性シート１０と転写フィルム２０とを巻き出して、上述した膨張処理と転写処理とを実行する。
【０１１３】
図３１に、実施形態３に係る転写装置５０ｂの内部構成を示す。図３１に示すように、転写装置５０ｂは、筐体５１ｂの内部に、搬送ローラ対１５０ａ，１５０ｂと、サーマルヘッド１６０と、プラテンローラ１７０と、ロール保持部１８１，１８２と、ロール巻取部１８３と、を備える。
【０１１４】
ロール保持部１８１，１８２は、それぞれ長尺状の媒体である熱膨張性シート１０と転写フィルム２０とをロール状に巻き回して保持する。搬送ローラ対１５０ａは、ロール保持部１８１に保持された熱膨張性シート１０とロール保持部１８２に保持された転写フィルム２０とを巻き出す。そして、搬送ローラ対１５０ａは、熱膨張性シート１０の表側の面と転写フィルム２０の裏側の面とを重ねた状態で、サーマルヘッド１６０に搬送する。
【０１１５】
サーマルヘッド１６０は、サーマルヘッド１６０とプラテンローラ１７０との間で押圧されて搬送される熱膨張性シート１０と転写フィルム２０とのうちの一方に当接し、熱膨張性シート１０と転写フィルム２０とを加熱する。これにより、サーマルヘッド１６０は、熱膨張性シート１０を膨張させ、且つ、転写フィルム２０から熱膨張性シート１０に転写層２２を転写させる。
【０１１６】
具体的に説明すると、表発泡の場合は、図３１に示すように、プラテンローラ１７０は、熱膨張性シート１０の裏側の面に当接し、熱膨張性シート１０の表側の面と転写フィルム２０の裏側の面とが重ねられた状態で、熱膨張性シート１０と転写フィルム２０とを熱膨張性シート１０の裏側から押圧する。そして、サーマルヘッド１６０は、転写フィルム２０の表側の面に当接し、プラテンローラ１７０により押圧された熱膨張性シート１０と転写フィルム２０とを転写フィルム２０の表側から加熱する。
【０１１７】
一方で、裏発泡の場合は、図示を省略するが、転写装置５０ｂは、図３１とは逆に、サーマルヘッド１６０が熱膨張性シート１０の裏側の面に当接し、プラテンローラ１７０が転写フィルム２０の表側の面に当接するように構成される。この場合、プラテンローラ１７０は、熱膨張性シート１０の表側の面と転写フィルム２０の裏側の面とが重ねられた状態で、熱膨張性シート１０と転写フィルム２０とを転写フィルム２０の表側から押圧する。そして、サーマルヘッド１６０は、プラテンローラ１７０により押圧された熱膨張性シート１０と転写フィルム２０とを熱膨張性シート１０の裏側から加熱する。
【０１１８】
搬送ローラ対１５０ｂは、サーマルヘッド１６０により膨張処理と転写処理とが実行された後の熱膨張性シート１０と転写フィルム２０とを搬送する。膨張処理と転写処理とが実行された後の熱膨張性シート１０と転写フィルム２０とは、搬送ローラ対１５０ｂを通過した後、互いに剥がされて、２つに分かれて搬送される。
【０１１９】
具体的に説明すると、転写フィルム２０のうちの熱膨張性シート１０に転写された転写層２２以外の部分は、熱膨張性シート１０から剥がされて、ロール巻取部１８３によりロール状に巻き取られて収納される。一方で、熱膨張性シート１０は、膨張処理と転写処理とが実行された後、搬出部から筐体５１ｂの外部に搬出される。これにより、長尺状の熱膨張性シート１０上に隆起が形成され、且つ、転写層２２が転写された造形物が製造される。
【０１２０】
以上説明したように、実施形態３に係る転写装置５０ｂは、熱膨張性シート１０と転写フィルム２０とがロール状に巻かれて保持された長尺状の媒体である場合にも、熱膨張性シート１０を膨張させる処理と、熱膨張性シート１０に転写層２２を転写させる処理とを、サーマルヘッド１６０で加熱するという１つの工程で実現することができる。そのため、隆起を有し、且つ、転写層２２が転写された造形物を、少ない工程で製造することができる。
【０１２１】
（変形例）
以上に本発明の実施形態について説明したが、上記実施形態は一例であり、本発明の適用範囲はこれに限られない。すなわち、本発明の実施形態は種々の応用が可能であり、あらゆる実施形態が本発明の範囲に含まれる。
【０１２２】
例えば、上記実施形態１では、転写装置５０は、トレイ１００に載置された熱膨張性シート１０及び転写フィルム２０に沿って照射部６０を移動させながら、照射部６０に電磁波を照射させた。しかしながら、本発明において、転写装置５０は、実施形態２に係る転写装置５０ａのように熱膨張性シート１０を搬送する搬送ローラ対１５０ａ，１５０ｂ等の搬送機構を備えており、搬送機構により搬送される熱膨張性シート１０に向けて、位置が固定された照射部６０から電磁波を照射しても良い。或いは、熱膨張性シート１０を膨張させて転写層２２を転写させる領域のサイズが相対的に小さい場合のように、当該領域の全体に照射部６０から一度に電磁波が照射することが可能である場合には、照射部６０と熱膨張性シート１０及び転写フィルム２０とのいずれも移動せずに、位置が固定されていても良い。
【０１２３】
上記実施形態２では、転写装置５０ａは、熱膨張性シート１０及び転写フィルム２０を搬送ローラ対１５０ａ，１５０ｂにより搬送させながら、位置が固定されたサーマルヘッド１６０により熱膨張性シート１０及び転写フィルム２０を加熱した。しかしながら、本発明において、転写装置５０ａは、実施形態１に係る転写装置５０のように熱膨張性シート１０及び転写フィルム２０が載置されるトレイ１００を備えており、トレイ１００に載置された熱膨張性シート１０及び転写フィルム２０に沿ってサーマルヘッド１６０を移動させる方式で、熱膨張性シート１０及び転写フィルム２０を加熱しても良い。
【０１２４】
上記実施形態では、熱膨張性シート１０は、基材１１と熱膨張層１２とを備えており、転写フィルム２０は、ベース層２１と転写層２２とを備えていた。しかしながら、本発明において、熱膨張性シート１０及び転写フィルム２０は、他の任意の材料による層を備えていても良い。例えば、転写層２２として熱膨張性シート１０に少なくとも１色のインクを転写させる場合には、熱膨張性シート１０は、熱膨張層１２の表面に、インクを表面に定着させるのに好適な材料で形成されたインク受容層を備えていても良い。或いは、裏発泡の場合に熱膨張性シート１０の裏側の面に形成された変換層１４を膨張処理後に除去できるように、熱膨張性シート１０は、裏側に剥離可能な剥離層を備えており、剥離層の上から変換層１４が形成されても良い。
【０１２５】
上記実施形態では、加熱により膨張する第１媒体として熱膨張性シート１０を例にとって説明し、転写層２２を有する第２媒体として転写フィルム２０を例にとって説明した。しかしながら、本発明において、第１媒体は、シート状であることに限らず、加熱により膨張する熱膨張剤を含むものであれば、例えば立体的な形状を有する媒体であっても良いし、その他のどのような形状の媒体であっても良い。また、第２媒体は、フィルム状であることに限らず、第１媒体に転写される転写層２２を有するものであれば、どのような形状の媒体であっても良い。
【０１２６】
上記実施形態では、熱膨張性シート１０と転写フィルム２０とは、互いに独立したシートであった。しかしながら、熱膨張性シート１０と転写フィルム２０とが最初から重ねられていても良い。言い換えると、転写層２２が転写された後で熱膨張性シート１０から転写フィルム２０を剥離可能なように、熱膨張性シート１０の表側（熱膨張層１２側）の面に転写フィルム２０の裏側（転写層２２側）の面が接着された状態で生産及び出荷されても良い。
【０１２７】
上記実施形態では、端末装置３０と印刷装置４０と転写装置５０，５０ａ，５０ｂとは、それぞれ独立した装置であった。しかしながら、本発明において、端末装置３０と印刷装置４０と転写装置５０，５０ａ，５０ｂとのうちの少なくともいずれか２つが一体となっていても良い。
【０１２８】
印刷装置４０の印刷方式は、インクジェット方式に限らない。例えば、印刷装置４０は、レーザー方式のプリンタであって、トナーと現像剤とによって画像を印刷しても良い。或いは、変換層１４は、印刷装置４０以外の手段によって形成されるものであっても良い。また、変換層１４は、電磁波を熱に変換しやすい材料であれば、カーボン分子を含むインク以外の材料によって形成されても良い。電磁波を熱に変換しやすい材料の例として、特に近赤外領域で吸収率が高く（透過率が低く）、かつ可視光領域の透過率が高い、例えば六ホウ化ランタン（ＬａＢ６）やセシウム酸化タングステン等を使用しても良い。
【０１２９】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
（付記１）
加熱により膨張する熱膨張層を有した第１媒体と、転写層を有した第２媒体とを、前記転写層が前記第１媒体に対向するように配置する第１ステップと、
前記熱膨張層が膨張可能な温度の熱を前記第１媒体に部分的に加えることにより、当該第１媒体における前記熱が加えられた部分に対応する表面を前記熱膨張層の膨張により隆起させて当該第１媒体の表面に凹凸を形成するとともに、前記隆起した部分の表面に当該表面の隆起に伴って発生する前記転写層への押圧力により前記転写層を選択的に転写させる第２ステップと、
を有することを特徴とする造形物の製造方法。
（付記２）
前記第１ステップで配置された前記第１媒体と前記第２媒体とを重ねた状態で押圧する押圧ステップ、を更に有し、
前記第２ステップでは、前記押圧ステップで押圧された前記第１媒体に前記熱を加える、
ことを特徴とする付記１に記載の造形物の製造方法。
（付記３）
前記第１媒体と前記第２媒体とのうちの少なくとも一方の表面の一部に、電磁波を熱に変換する変換層を形成する形成ステップ、を更に有し、
前記第２ステップでは、前記形成ステップで形成された前記変換層に前記電磁波を照射して前記変換層を発熱させることにより、前記第１媒体に前記熱を部分的に加える、
ことを特徴とする付記２に記載の造形物の製造方法。
（付記４）
前記形成ステップでは、前記変換層を、前記第２媒体の表側の面の一部に形成し、
前記第１ステップでは、前記第１媒体と、前記形成ステップで前記変換層が形成された前記第２媒体とを、前記第２媒体の裏側の面が前記第１媒体に対向するように配置し、
前記押圧ステップでは、前記第１ステップで配置された前記第１媒体と前記第２媒体とを、前記第２媒体の表側から押圧し、
前記第２ステップでは、前記第２媒体の表側の面に前記電磁波を照射して前記変換層を発熱させることにより、前記押圧ステップで押圧された前記第１媒体に前記熱を部分的に加える、
ことを特徴とする付記３に記載の造形物の製造方法。
（付記５）
前記形成ステップでは、前記変換層を、前記第１媒体の裏側の面の一部に形成し、
前記第１ステップでは、前記形成ステップで前記変換層が形成された前記第１媒体と、前記第２媒体とを、前記第１媒体の表側の面が前記第２媒体に対向するように配置し、
前記押圧ステップでは、前記第１ステップで配置された前記第１媒体と前記第２媒体とを、前記第１媒体の裏側から押圧し、
前記第２ステップでは、前記第１媒体の裏側の面に前記電磁波を照射して前記変換層を発熱させることにより、前記押圧ステップで押圧された前記第１媒体に前記熱を部分的に加える、
ことを特徴とする付記３に記載の造形物の製造方法。
（付記６）
前記押圧ステップでは、前記電磁波に対する透過性を有する押圧部材により、前記第１ステップで配置された前記第１媒体と前記第２媒体とを押圧し、
前記第２ステップでは、前記押圧部材越しに、前記形成ステップで形成された前記変換層に電磁波を照射する、
ことを特徴とする付記３から５のいずれか１つに記載の造形物の製造方法。
（付記７）
前記第２ステップでは、ヒータにより、前記押圧ステップで押圧された前記第１媒体を、前記電磁波が照射される側とは反対側から更に加熱する、
ことを特徴とする付記３から６のいずれか１つに記載の造形物の製造方法。
（付記８）
前記押圧ステップでは、断熱性を有する押圧部材により、前記第１ステップで配置された前記第１媒体と前記第２媒体とを押圧する、
ことを特徴とする付記２から７のいずれか１つに記載の造形物の製造方法。
（付記９）
前記第２ステップでは、前記押圧ステップで押圧された前記第１媒体と前記第２媒体とのうちの一方に当接するサーマルヘッドにより、前記第１媒体に前記熱を部分的に加える、
ことを特徴とする付記２に記載の造形物の製造方法。
（付記１０）
前記押圧ステップでは、前記第１ステップで配置された前記第１媒体と前記第２媒体とを、前記第１媒体の、前記第２媒体に対向する面とは反対側から押圧し、
前記第２ステップでは、前記第２媒体の、前記第１媒体に対向する面とは反対側の面に当接する前記サーマルヘッドにより、前記押圧ステップで押圧された前記第１媒体に前記熱を部分的に加える、
ことを特徴とする付記９に記載の造形物の製造方法。
（付記１１）
前記押圧ステップでは、前記第１ステップで配置された前記第１媒体と前記第２媒体とを、前記第２媒体の、前記第１媒体に対向する面とは反対側から押圧し、
前記第２ステップでは、前記第１媒体の、前記第２媒体に対向する面とは反対側の面に当接する前記サーマルヘッドにより、前記押圧ステップで押圧された前記第１媒体に前記熱を部分的に加える、
ことを特徴とする付記９に記載の造形物の製造方法。
（付記１２）
前記押圧ステップでは、前記サーマルヘッドとの間で前記第１媒体と前記第２媒体とを挟んで搬送するプラテンローラにより、前記第１媒体と前記第２媒体とを押圧する、
ことを特徴とする付記９から１１のいずれか１つに記載の造形物の製造方法。
（付記１３）
加熱により膨張する熱膨張層を有した第１媒体と、転写層を有した第２媒体とが、前記転写層が前記第１媒体に対向するように配置される配置部と、
前記熱膨張層が膨張可能な温度の熱を前記第１媒体に部分的に加えることにより、当該第１媒体における前記熱が加えられた部分に対応する表面を前記熱膨張層の膨張により隆起させて当該第１媒体の表面に凹凸を形成するとともに、前記隆起した部分の表面に当該表面の隆起に伴って発生する前記転写層への押圧力により前記転写層を選択的に転写させる転写部と、
を備えることを特徴とする転写装置。
（付記１４）
付記１３に記載の転写装置と、
前記第１媒体と前記第２媒体とのうちの少なくとも一方の表面の一部に、電磁波を熱に変換する変換層を形成する印刷装置と、
を備え、
前記転写部は、前記印刷装置により形成された前記変換層に前記電磁波を照射して前記変換層を発熱させることにより、前記第１媒体に前記熱を部分的に加える、
ことを特徴とする造形システム。
【符号の説明】
【０１３０】
１，１ａ…造形システム、１０…熱膨張性シート、１１…基材、１２…熱膨張層、１４…変換層、２０…転写フィルム、２１…ベース層、２２…転写層、３０…端末装置、４０…印刷装置、４１…キャリッジ、４２…印刷ヘッド、４３，４３ｋ，４３ｃ，４３ｍ，４３ｙ…インクカートリッジ、４４…ガイドレール、４５…駆動ベルト、４５ｍ…モータ、４６…フレキシブル通信ケーブル、４７…フレーム、４８…プラテン、４９ａ…給紙ローラ対、４９ｂ…排紙ローラ対、５０，５０ａ，５０ｂ…転写装置、５１，５１ａ，５１ｂ…筐体、５４…換気ファン、５５…搬送モータ、５６…搬送レール、６０…照射部、６１…ランプヒータ、６２…反射板、６４…冷却ファン、６９…電源部、７０…制御部、１００…トレイ、１１０…載置部、１２０…ヒータ、１３０…押圧部材、１４０…凸部、１５０ａ，１５０ｂ…搬送ローラ対、１５１ａ，１５１ｂ…搬送ガイド、１５２…搬入部、１５３…搬出部、１６０…サーマルヘッド、１６１…発熱体、１７０…プラテンローラ，１８１，１８２…ロール保持部、１８３…ロール巻取部
【図１】
2020151973.tif 000003
【図２】
2020151973.tif 000004
【図３】
2020151973.tif 000005
【図４】
2020151973.tif 000006
【図５】
2020151973.tif 000007
【図６】
2020151973.tif 000008
【図７】
2020151973.tif 000009
【図８】
2020151973.tif 000010
【図９】
2020151973.tif 000011
【図１０】
2020151973.tif 000012
【図１１】
2020151973.tif 000013
【図１２】
2020151973.tif 000014
【図１３】
2020151973.tif 000015
【図１４】
2020151973.tif 000016
【図１５】
2020151973.tif 000017
【図１６】
2020151973.tif 000018
【図１７】
2020151973.tif 000019
【図１８】
2020151973.tif 000020
【図１９】
2020151973.tif 000021
【図２０】
2020151973.tif 000022
【図２１】
2020151973.tif 000023
【図２２】
2020151973.tif 000024
【図２３】
2020151973.tif 000025
【図２４】
2020151973.tif 000026
【図２５】
2020151973.tif 000027
【図２６】
2020151973.tif 000028
【図２７】
2020151973.tif 000029
【図２８】
2020151973.tif 000030
【図２９】
2020151973.tif 000031
【図３０】
2020151973.tif 000032
【図３１】
2020151973.tif 000033